(57)【特許請求の範囲】
【請求項１】
駆動手段の駆動により可動部材を移動させて演出を行なう可動演出装置を備えた遊技機であって、
前記可動部材に設けた基板取付ベースに配設された基板のコネクタにフレキシブルフラットケーブルが接続されて、該基板取付ベースと当該基板取付ベースに固定されたカバー部材との間に、前記フレキシブルフラットケーブルを折曲げて形成された折曲げ部を挟持するよう構成されると共に、
前記基板取付ベースおよびカバー部材の一方には、前記フレキシブルフラットケーブルの側縁部に当接可能なガイド突部が突設されると共に、該基板取付ベースおよびカバー部材の他方には、前記ガイド突部と対応する位置に、該ガイド突部が嵌合する孔部が形成され、該カバー部材を基板取付ベースに固定した際に、前記孔部に嵌合したガイド突部がフレキシブルフラットケーブルの移動を規制するよう構成された
ことを特徴とする遊技機。
【請求項２】
前記ガイド突部は、前記フレキシブルフラットケーブルの両側部に位置するように設けられると共に、該フレキシブルフラットケーブルにおける折曲げ部に対応する位置に設けられて、該フレキシブルフラットケーブルを折曲げた角部に当接して位置規制するよう構成される請求項１記載の遊技機。
【発明の詳細な説明】
【技術分野】
【０００１】
本発明は、駆動手段の駆動により可動部材を動作させて演出を行なうよう構成された遊技機に関するものである。
【背景技術】
【０００２】
代表的な遊技機であるパチンコ機は、遊技盤の盤面に画成した遊技領域の略中央位置に枠状の枠状装飾体(所謂センター役物)が配設されており、この枠状装飾体の開口部を介して複数の図柄を変動表示して図柄変動ゲームを行なう液晶式やドラム式等の図柄表示装置を後方から臨ませると共に、該遊技盤における枠状装飾体の下方位置に、パチンコ球(遊技球)の入賞により図柄表示装置での変動を開始させる始動入賞装置や大当り時等に開放する特別入賞装置を配設するよう構成されたものが多数提案されている。このようなパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、前記図柄表示装置で図柄変動ゲームに伴うリーチ演出等の各種の遊技演出がなされ、該図柄表示装置に図柄が所定の組み合わせで停止することにより所謂大当りが発生し、遊技盤に設けられた特別入賞装置が開放して多数の賞球を獲得し得るよう構成される。
【０００３】
また、多くのパチンコ機では、装飾部材に、所要の動作を行なう可動部材を備えた可動式の演出装置(可動演出装置)が配設されており、可動部材を図柄表示装置での図柄変動ゲームに合わせて動作させることにより演出効果の向上を図っている。また、例えば特許文献１に示されるように、可動部材に対して発光体を備えた発光基板を配設して、可動部材の動作に合わせて発光体を発光することで、遊技の演出効果を一層高めることも行なわれている。
【先行技術文献】
【特許文献】
【０００４】
【特許文献１】特開２００９−８９７６２号公報
【発明の概要】
【発明が解決しようとする課題】
【０００５】
ところで、可動部材に配設された発光基板等に対しては、制御装置に電気的に接続するよう配線接続する必要がある。ここで、可動部材に設けた基板に対する配線接続構造としては、可動部材の設置場所等に応じて特許文献１に記載のように薄平板状に形成した導体を複数本並べて絶縁体で被覆したフレキシブルフラットケーブルが採用されている。ここで、フレキシブルフラットケーブルは、その性質上、厚み方向への可撓性に優れるものの幅方向への可撓性は殆どない。このため、可動部材や制御装置等の位置関係により可動部材に接続するフレキシブルフラットケーブルを幅方向に引き回す必要がある場合には、該フレキシブルフラットケーブルを捩るように折曲げることになる。しかしながら、フレキシブルフラットケーブルは、前述のように内部に薄平板状の導体を絶縁体で被覆した構造であるため、可動部材の動作時にフレキシブルフラットケーブルの折曲げ部分が他部材に引っ掛けたり、可動部材の動作に伴って折曲げ部分が繰り返し屈曲動作されることで断線する虞があった。
【０００６】
すなわち本発明は、前述した従来の技術に係る遊技機に内在する前記問題に鑑み、これらを好適に解決するべく提案されたものであって、可動部材に接続したフレキシブルフラットケーブルの折曲げ部分の断線を防止可能な遊技機を提供することを目的とする。
【課題を解決するための手段】
【０００７】
前記課題を克服し、所期の目的を達成するため、請求項１に係る遊技機は、
駆動手段(36)の駆動により可動部材(90)を移動させて演出を行なう可動演出装置(35,150)を備えた遊技機であって、
前記可動部材(90)に設けた基板取付ベース(98)に配設された基板(110)のコネクタ(111)にフレキシブルフラットケーブル(112)が接続されて、該基板取付ベース(98)と当該基板取付ベース(98)に固定されたカバー部材(115,165)との間に、前記フレキシブルフラットケーブル(112)を折曲げて形成された折曲げ部(113)を挟持するよう構成されると共に、
前記基板取付ベース(98)およびカバー部材(115,165)の一方には、前記フレキシブルフラットケーブル(112)の側縁部に当接可能なガイド突部(104)が突設されると共に、該基板取付ベース(98)およびカバー部材(115,165)の他方には、前記ガイド突部(104)と対応する位置に、該ガイド突部(104)が嵌合する孔部(118)が形成され、該カバー部材(115,165)を基板取付ベース(98)に固定した際に、前記孔部(118)に嵌合したガイド突部(104)がフレキシブルフラットケーブル(112)の移動を規制するよう構成されたことを要旨とする。
【０００８】
このように、フレキシブルフラットケーブルを折曲げて形成された折曲げ部を、可動部材の基板取付ベースと、該基板取付ベースに固定されたカバー部材との間に挟持するよう構成したから、可動部材を動作した際にフレキシブルフラットケーブルの折曲げ部が屈曲されることはなく、フレキシブルフラットケーブルの断線を防止し得る。また、フレキシブルフラットケーブルの折曲げ部がカバー部材で覆われるから、可動部材を動作した際に他の遊技機構成部材に当該折曲げ部が引っ掛かって断線するのも効果的に防止できる。また、カバー部材を基板取付ベースに固定した際に、該カバー部材または基板取付ベースに設けたガイド突部によりフレキシブルフラットケーブルを位置規制するようにしたから、可動部材の動作に伴ってフレキシブルフラットケーブルが位置ズレするのを防止できる。従って、可動部材を動作した際に、フレキシブルフラットケーブルが移動してカバー部材および基板取付ベースの間から折曲げ部分がはみ出るのを防止できる。
【００１１】
請求項２に係る遊技機は、前記ガイド突部(104)は、前記フレキシブルフラットケーブル(112)の両側部に位置するように設けられると共に、該フレキシブルフラットケーブル(112)における折曲げ部(113)に対応する位置に設けられて、該フレキシブルフラットケーブル(112)を折曲げた角部に当接して位置規制するよう構成されることを要旨とする。
【００１２】
このように、前記ガイド突部をフレキシブルフラットケーブルの両側部に位置させることで、フレキシブルフラットケーブルの移動をより確実に防止できる。また、フレキシブルフラットケーブルにおける折曲げ部に対応してガイド突部が位置して、該フレキシブルフラットケーブルを折返した角部に当接することで、該折曲げ部の移動を確実に阻止し得る。
【発明の効果】
【００１３】
すなわち、本発明の遊技機によれば、可動部材の動作時等にフレキシブルフラットケーブルの折曲げ部に過度な負荷が掛かるのを防止でき、該ケーブルの断線を防止することができる。
【図面の簡単な説明】
【００１４】
【図１】本発明の実施例に係るパチンコ機を示す正面図である。
【図２】実施例に係る遊技盤を示す正面図である。
【図３】実施例１に係る第１の可動演出装置を裏ユニットに配設した状態を示す正面図であって、作動体が原位置にあって初期位置に保持された可動部材を実線で示し、作動体が終位置にあって可動位置に保持された可動部材を二点鎖線で示すと共に、作動体が切替位置にある状態で可動部材を一点鎖線で示す。
【図４】実施例１に係る第１の可動演出装置および第２の可動演出装置を裏ユニットに配設した状態を示すものであって、(a)は第１の可動演出装置の可動部材が初期位置にあり、第２の可動演出装置の第２被覆部材が被覆位置にある状態を示し、(b)は第１の可動演出装置の可動部材が初期位置にあり、第２の可動演出装置の第２被覆部材が開放位置にある状態を示す。
【図５】実施例１に係る第１の可動演出装置を示す正面図である。
【図６】実施例１に係る第１の可動演出装置のユニット体を分解して正面側から視た状態を示す斜視図である。
【図７】実施例１に係る第１の可動演出装置における箱状体、仕切板、筒状体、可動ラックギア部材、自由回転ギア、固定ラックギア部材、作動体および棒状部材を示す分解斜視図である。
【図８】実施例１に係る第１の可動演出装置のユニット体を分解して背面側から視た状態を示す斜視図である。
【図９】実施例１に係る仕切板と固定ラックギア部材との関係を背面側から視た状態で示す斜視図である。
【図１０】実施例１に係る作動体と棒状部材との関係を背面側から視た状態で示す斜視図である。
【図１１】実施例１に係る箱状体に、仕切板、筒状体、可動ラックギア部材、自由回転ギア、固定ラックギア部材を配設した状態を示す正面図である。
【図１２】実施例１に係る箱状体に、仕切板、筒状体、可動ラックギア部材、自由回転ギア、固定ラックギア部材、作動体および棒状部材を配設した状態を、作動体が原位置にある状態で示す正面図である。
【図１３】実施例１に係る箱状体に、仕切板、筒状体、可動ラックギア部材、自由回転ギア、固定ラックギア部材、作動体および棒状部材を配設した状態を、作動体が終位置にある状態で示す正面図である。
【図１４】図５におけるＡ-Ａ線断面図である。
【図１５】実施例１に係る可動部材を正面側から視た状態で示す分解斜視図である。
【図１６】実施例１に係る可動部材を背面側から視た状態で示す分解斜視図である。
【図１７】図５におけるＢ−Ｂ線断面図である。
【図１８】(a)は、実施例１に係る可動部材の後半体と、可動体ＬＥＤ基板とカバー部材とを正面側から視た状態で示す分解斜視図であり、(b)は、実施例１に係る可動部材の後半体と、フレキシブルフラットケーブルと、カバー部材とを背面側から視た状態で示す分解斜視図である。
【図１９】実施例１に係る可動部材においてカバー部材を省略して背面から視た状態を示す拡大図である。
【図２０】実施例１に係る可動部材と駆動伝達手段との関係を正面から見た状態で示す概略図であって、作動体が原位置にあって可動部材が初期位置にある状態を示す。
【図２１】実施例１に係る可動部材と駆動伝達手段との関係を背面から見た状態で示す斜視図であって、作動体が原位置にあって可動部材が初期位置にある状態を示す。但し、箱状体および仕切板を省略して示す。
【図２２】実施例１に係る可動部材と支持板のガイド孔との関係を背面から見た状態で示す斜視図であって、作動体が原位置にあって可動部材が初期位置にある状態を示す。
【図２３】実施例１に係る可動部材と駆動伝達手段との関係を正面から見た状態で示す概略図であって、作動体が切替位置にある状態を示す。
【図２４】実施例１に係る可動部材と駆動伝達手段との関係を背面から見た状態で示す斜視図であって、作動体が切替位置にある状態を示す。但し、箱状体および仕切板を省略して示す。
【図２５】実施例１に係る可動部材と支持板のガイド孔との関係を背面から見た状態で示す斜視図であって、作動体が切替位置にある状態を示す。
【図２６】実施例１に係る可動部材と駆動伝達手段との関係を正面から見た状態で示す概略図であって、作動体が終位置にあって可動部材が可動位置にある状態を示す。
【図２７】実施例１に係る可動部材と駆動伝達手段との関係を背面から見た状態で示す斜視図であって、作動体が終位置にあって可動部材が可動位置にある状態を示す。但し、箱状体および仕切板を省略して示す。
【図２８】実施例１に係る可動部材と支持板のガイド孔との関係を背面から見た状態で示す斜視図であって、作動体が終位置にあって可動部材が可動位置にある状態を示す。
【図２９】実施例２に係る第１の可動演出装置を示す背面図であって、作動体が原位置にあって可動部材が初期位置にある状態を示す。
【図３０】実施例２に係る第１の可動演出装置を示す背面図であって、作動体が終位置にあって可動部材が可動位置にある状態を示す。
【図３１】実施例３に係る可動部材において、カバー部材を分離して背面から視た状態を示す斜視図である。
【発明を実施するための形態】
【００１５】
次に、本発明に係る遊技機につき、好適な実施例を挙げて、添付図面を参照しながら以下詳細に説明する。なお、各実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例１】
【００１６】
(パチンコ機について)
実施例１に係るパチンコ機１０は、図１に示すように、前後に開口する矩形枠状に形成されて遊技店の図示しない設置枠台に固定される固定枠としての外枠１１の開口前面側に、後述する遊技盤２０(図２参照)を着脱可能に保持する本体枠としての中枠１２が開閉および着脱可能に組み付けられて、該遊技盤２０の裏側に、各種図柄を変動表示可能な図柄表示装置１７が着脱可能に配設されている。また、前記中枠１２の前面側には、前記遊技盤２０を透視保護するガラス板等の透視保護体(図示せず)を備えた装飾枠としての前枠１３が開閉可能に組み付けられると共に、該前枠１３の下方にパチンコ球を貯留する下球受け皿１５が開閉可能に組み付けられる。なお、実施例１では、前記前枠１３の下部位置に、パチンコ球を貯留する上球受け皿１４が一体的に組み付けられており、前枠１３の開閉に合わせて上球受け皿１４も一体的に開閉するよう構成される。また、前記中枠１２の右下方位置には、該中枠１２に配設された打球発射装置(図示せず)を作動する操作ハンドル１６が設けられており、該操作ハンドル１６の操作により打球発射装置が作動することで、前記上球受け皿１４に貯留されたパチンコ球が前記遊技盤２０に向けて発射されるようになっている。なお、実施例１では、前記図柄表示装置１７として、各種図柄を表示可能な液晶パネルを収容ケースに収容した液晶表示装置が採用されるが、これに限られるものではなく、ドラム式の表示装置やドットマトリックス式の表示装置、７セグメントディスプレイ、その他の各種図柄を停止および変動表示可能な表示装置を採用し得る。また、前記上球受け皿１４は、前記前枠１３と別体に形成して中枠１２に対して開閉可能に組み付けるようにしてもよく、また上下の球受け皿１４,１５の一方を省略して１つの球受け皿のみ設ける構成であってもよい。
【００１７】
(遊技盤２０について)
前記遊技盤２０は、図２に示すように、所定板厚の略矩形状に形成された合板の表面にセルを貼付けた板部材であって、該遊技盤２０の表面に、略円形状に湾曲したレール２１が設けられて、該レール２１によりパチンコ球が流下可能な遊技領域２０ａが画成され、前記打球発射装置から発射されたパチンコ球が遊技領域２０ａ内に打ち出されるようになっている。また遊技盤２０には、前後に貫通する装着口(図示せず)が前記遊技領域２０ａ内に複数開設されて、各装着口に対して各種部品が前側から取付けられると共に、遊技領域２０ａの最下部位置には、該遊技領域２０ａに打ち出されたパチンコ球を排出するアウト口２２が開設されている。また、前記遊技盤２０には、前記遊技領域２０ａ内に多数の遊技釘が植設されており、遊技領域２０ａを流下するパチンコ球が遊技釘に接触することでパチンコ球の流下方向を不規則に変化させたり、パチンコ球を一定方向に誘導するようになっている。なお、前記装着口の形成数や大きさは、遊技盤２０に対して取付けられる各種部品の個数や配設位置等に応じて適宜決定される。なお、前記遊技盤２０は、アクリル板等の透明板から構成したものであってもよい。
【００１８】
ここで、前記遊技盤２０には、前記遊技領域２０ａの略中央に設けられた装着口(図示せず)に、前後に開口する窓口２３ａが形成された枠状装飾体２３(図２参照)が取付けられ、該枠状装飾体２３の窓口２３ａを介して図柄表示装置１７の表示面が遊技盤２０の前面側に臨むよう構成されている。また、枠状装飾体２３の下方には、遊技領域２０ａを流下するパチンコ球が入賞可能な始動入賞装置２４や特別入賞装置２５が取付けられている。そして、前記始動入賞装置２４の入賞口２４ａにパチンコ球が入賞することで、前記図柄表示装置１７に図柄を変動表示する図柄変動演出が展開され、該図柄変動演出の結果、図柄表示装置１７に所定の図柄組み合わせ(例えば同一図柄の３つ揃い等)で図柄が停止表示されると、前記特別入賞装置２５が開放して所謂大当りが発生し、特別入賞装置２５の入賞口２５ａが開放されて遊技者が多数の賞球を獲得可能な機会が与えられるようになっている。なお、前記枠状装飾体２３には、パチンコ機１０の遊技内容に合わせた装飾部２３ｂが適宜位置に設けられている。
【００１９】
(裏ユニット３０について)
また、前記遊技盤２０の裏面には、図３または図４に示すように、前記図柄表示装置１７が取付けられる裏ユニット３０が設けられている。前記裏ユニット３０は、略矩形状に形成されて前記遊技盤に対向する背面板と、該背面板の外周縁部から前方へ延出する上下および左右の画壁部とから前方へ開口する略矩形箱状に形成されて、画壁部の前端部を遊技盤２０の裏側に当接させた状態で固定されている。そして、前記裏ユニット３０における前記背面板３１の裏側に、前記図柄表示装置１７が着脱可能に取付けられると共に、該背面板３１における図柄表示装置１７の表示面に対応する位置に、前後に開口する開口部３１ａ(図３参照)が開設されており、該裏ユニット３０の開口部３１ａに臨ませた図柄表示装置１７の表示面が前記枠状装飾体２３の窓口２３ａを介して遊技盤２０の前側から視認し得るようになっている。また、前記裏ユニット３０における背面板３１の前面側(すなわち、遊技盤２０と裏ユニット３０により画成される空間内)には、各種の演出装置３５,１３５(図３または図４参照)や装飾部材(図示せず)が配設されて、前記枠状装飾体２３の窓口２３ａを介して遊技盤２０の前面に露出するよう構成されると共に、遊技盤２０に設けた入賞装置２４,２５に入賞したパチンコ球を排出する排出通路(図示せず)が設けられている。すなわち、前記裏ユニット３０は、パチンコ機１０の遊技演出に関わる図柄表示装置１７や各種演出装置３５,１３５の設置部材として機能している。
【００２０】
ここで、実施例１の裏ユニット３０では、前記開口部３１ａの上部から右下部に亘って第１の可動演出装置３５が設けられると共に、該第１の可動演出装置３５の前側に前記第２の可動演出装置１３５が設けられており、前記枠状装飾体２３に形成された窓口２３ａを介して第１および第２の可動演出装置３５,１３５がパチンコ機１０の前面に露出するようになっている。なお、前記第１の可動演出装置３５の可動部材９０は、該可動部材９０が初期位置(図１、図２、図４、図５、図２０等参照)にある状態では、前記第２の可動演出装置１３５により覆い隠されており、該第２の可動演出装置１３５が動作することで、該可動部材９０が前面に露出するよう構成されている(図４参照)。
【００２１】
(第１の可動演出装置３５について)
実施例１に係る第１の可動演出装置３５について説明する。前記第１の可動演出装置３５は、図５〜図８に示すように、前記裏ユニット３０に取付けられる装置本体３７と、該装置本体３７に配設されて図示しない制御装置に配線接続された第１駆動モータ(駆動手段)３６と、当該装置本体３７に動作可能に支持された可動部材９０と、第１駆動モータ３６および可動部材９０を連繋接続する駆動伝達手段７０とから基本的に構成されて、制御装置からの制御信号に基づいて第１駆動モータ３６を駆動することで、駆動伝達手段７０を介して可動部材９０が動作されるようになっている。ここで、前記第１駆動モータ３６は、前記図柄表示装置１７を制御する制御装置に接続されている。すなわち、実施例１の第１の可動演出装置３５は、前記図柄表示装置１７で実行される演出に合わせて第１駆動モータ３６を駆動して可動部材９０を動作させ得るようになっている。なお、実施例１の第１駆動モータ３６には、ステッピングモータが採用されている。
【００２２】
(装置本体３７について)
図５に示すように、前記装置本体３７は、前記裏ユニット３０(背面板３１)における前記開口部３１ａの上部に配設されて前記第１駆動モータ３６および駆動伝達手段７０が設置されるユニット体３８と、該裏ユニット３０(背面板３１)における開口部３１ａの右下方位置に配設された支持板６５とから構成され、該ユニット体３８および支持板６５の夫々に前記可動部材９０が支持される。ここで、前記可動部材９０は、前記ユニット体３８および支持板６５の夫々に支持された刀身を模した長尺部材であって、前記裏ユニット３０(背面板３１)における前記開口部３１ａの右側部に沿って上下方向に延在する初期位置(図１、図２、図４、図５、図２０等参照)、および該開口部３１ａの上端縁に沿って可動部材９０の上部位置が左側部に移動して当該可動部材９０が初期位置に対して左方向に傾倒した可動位置(図３の二点鎖線、図２６等参照)の間を移動し得るよう構成される。なお、以下の説明では、特に断りのない限り、前記可動部材９０について前記初期位置にある状態を基準として「上」、「下」、「左」、「右」を指称するものとする。
【００２３】
(ユニット体３８について)
前記ユニット体３８は、図６〜図８に示すように、前方および下方に開口する横長の矩形箱状に形成された箱状体３９と、該箱状体３９の開口前端部に取付けられて当該箱状体３９の前方開口を塞ぐカバー体５５とから構成されている。すなわち、前記ユニット体３８は、前記箱状体３９およびカバー体５５により下方に開口する空間部４０が画成されて、該空間部４０内に前記駆動伝達手段７０を構成する構成部材の一部(具体的には、後述する筒状体７４、可動ラックギア部材７８、自由回転ギア８１、固定ラックギア部材８３、作動体８４)が配設されると共に、該空間部４０の下方開口を介して内部に臨ませた前記可動部材９０の上端部が空間内部に臨んで駆動伝達手段７０(具体的には作動体８４)に接続される。また、前記ユニット体３８の前面には、前方へ向けて光を照射するＬＥＤ６２ａが実装された複数(実施例１では３つ)の上部ＬＥＤ基板６２が配設されており、前記枠状装飾体２３に設けられた光透過性の装飾部２３ｂ(図１または図２参照)を裏側から照明するようになっている。
【００２４】
前記箱状体３９は、図６〜図８に示すように、前方および下方に開口する第１箱状部４１と、該第１箱状部４１の左側部に設けられて前方および第１箱状部４１の内側に開口する第２箱状部４７とから構成される。そして、前記箱状体３９にカバー体５５を組み付けた状態で、第１箱状部４１および第２箱状部４７により１つの空間部４０を画成するよう構成されている。なお、前記第２箱状部４７の奥行き寸法は、前記第１箱状部４１の奥行き寸法より浅くなるよう形成してある。すなわち、前記第１箱状部４１は、前記裏ユニット３０の背面板３１に対向する後壁面４１ａと、該後壁面４１ａの上縁部から前方へ向けて延出する上壁面４１ｂと、当該後壁面４１ａおよび上壁面４１ｂの各左右の縁部から前方へ向けて延出する左壁面４１ｃおよび右壁面４１ｄとから構成され、該左壁面４１ｃに左右方向に開口する開口部４１ｅが形成されている。一方、前記第２箱状部４７は、前記第１箱状部４１の左壁面４１ｃに開設した開口部４１ｅの後端縁に連設する後壁面４７ａと、該第１箱状部４１の左壁面４１ｃに形成した開口部４１ｅの上下の端縁に連設する上下の壁面４７ｂ,４７ｃと、該第２箱状部４７の後壁面４７ａおよび上下の壁面４７ｂ,４７ｃの左端部に連設する左壁面４７ｄとから構成されて、当該第１箱状部４１の左壁面４１ｃに開設された開口部４１ｅを介して当該第１箱状部４１と第２箱状部４７とが連通している。
【００２５】
また、図７に示すように、前記箱状体３９には、前記第１箱状部４１の後壁面４１ａに、左右方向に延在するレール部４２が前記左右の壁面４１ｃ,４１ｄ間に亘って形成されており、前記駆動伝達手段７０を構成する可動ラックギア部材７８がレール部４２に沿って移動するよう構成される。ここで、前記レール部４２は、前記第１箱状部４１の後壁面４１ａから前方へ突出して左右方向に直線的に延在するよう形成されている。また、前記箱状体３９(第１箱状部４１)の後壁面４１ａの上端部側には、左右方向の中央より右寄りの位置に、支軸４４の後端部を支持する第１支持孔４３が形成されており、該第１支持孔４３に支持された支軸４４に対して、前記駆動伝達手段７０の筒状体７４が回転可能に支持されている。
【００２６】
図７、図１１〜図１３に示すように、前記箱状体３９には、前記空間部４０の内側右端部(第１箱状部４１の右壁面４１ｄ)に、該第１箱状部４１の後壁面４１ａから前方へ突出する右台座部４５が形成されると共に、該右台座部４５の上下端縁の夫々に前方へ突出する右側嵌合片４５ａ,４５ａが形成されて、該右台座部４５および一対の右側嵌合片４５ａ,４５ａにより、前方および左側方に開口する右側受け部４６が形成されている。また同様に、前記箱状体３９において前記空間部４０の内側左端部(第２箱状部４７の左壁面４７ｄ)には、前記左台座部４８と左右方向に整列する位置に、前記第２箱状部４７の後壁面４７ａから前方へ突出する左台座部４８が形成されると共に、該左台座部４８の上下端縁の夫々に前方へ突出する左側嵌合片４８ａ,４８ａが形成されており、該左台座部４８および一対の左側嵌合片４８ａ,４８ａにより、前方および右側方に開口する左側受け部４９が形成されている。ここで、前記左右の受け部４６,４９は、左右方向に整列するよう構成されている。そして、前記左右の受け部４６,４９の前方開口を介して、丸棒状に形成された金属製の棒状部材(第１のガイド手段)５０が嵌合されて、左右の受け部４６,４９の間に棒状部材５０が架渡されている(図１１〜図１３参照)。ここで、前記第１の可動演出装置３５を裏ユニット３０に配設した際に、前記棒状部材５０が左右方向に略水平に延在するようになっている。
【００２７】
更に、図６〜図９に示すように、前記箱状体３９には、前記空間部４０を前後に仕切る仕切板５１(後述)が配設されている。前記仕切板５１は、前記第１箱状部４１における後壁面４１ａの略全体を覆う平板状に形成されると共に、外周縁の全周に亘って後方へ突出する外周壁部５２が形成されており、該第１箱状部４１の後壁面４１ａに外周壁部５２の後端部を当接させた状態で第１箱状部４１に仕切板５１が固定される。なお、前記仕切板５１の外周壁部５２は、前記レール部４２と対応する位置が切り欠かれており、仕切板５１とレール部４２との干渉を防止している。また、以下の説明では、前記仕切板５１により仕切られた前側の空間部４０を前側空間部４０ａと指称し、該仕切板５１により仕切られた後側の空間部４０を後側空間部４０ｂと指称する場合もある。
【００２８】
また、前記仕切板５１の上端縁は、図６〜図９、図１１〜図１３に示すように、前記筒状体７４に対応する位置で湾曲状に凹んだ退避部５１ｂが形成されており、該筒状体７４との干渉を回避するよう構成されている。ここで、前記仕切板５１の外周壁部５２には、前記退避部５１ｂに対応する位置に、上下に開口する切欠部５２ａが形成されており、該切欠部５２ａを介して前記筒状体７４に形成された後側連繋ギア７６(後述)が前記後側空間部４０ｂに臨むようになっている。また、前記仕切板５１の上端部には、前記退避部５１ｂ(筒状体７４)の左側方に、ネジ孔５３ａが形成された固定部５３,５３が左右に離間するよう形成されて、該固定部５３に前記固定ラックギア部材８３が固定される。また、前記仕切板５１には、前記固定部５３の下方位置に、前後に開口するガイド孔５１ａが左右方向に延在するよう形成されている。
【００２９】
(カバー体５５について)
前記カバー体５５は、図６、図８に示すように、前記箱状体３９(第１箱状部４１および第２箱状部４７)の前方開口全体を覆うと共に、該箱状体３９(第１箱状部４１)の右壁面４１ｄより右方に延出する大きさに形成されている。そして、前記カバー体５５における前記箱状体３９(第１箱状部４１)の右壁面４１ｄから右方に延出する延出部分の裏面に、前記第１駆動モータ３６が取付けられている。また、前記第１駆動モータ３６の駆動軸３６ａは、前記カバー体５５に前後に貫通するよう形成された通孔５５ａを介して前面側に突出するよう構成されて、該カバー体５５の前面側に突出した駆動軸３６ａに対して、前記駆動伝達手段７０を構成する駆動ギア７１が取付けられている。
【００３０】
前記カバー体５５の後面には、図８に示すように、前記箱状体３９(第１箱状部４１)の右壁面４１ｄに近接する位置に、前記制御装置に接続する位置検出センサ(位置検出手段)６３が配設されており、前記可動部材９０が初期位置にある状態で、前記駆動伝達手段７０の作動体８４が備える位置検出片８７ａを検出するよう構成されている。更に、前記カバー体５５の前面には、前方へ向けて突出する外周壁部５６が外周縁部に形成されると共に、該カバー体５５の後面下端部側に、後方へ突出する支持片５５ｂが左右方向に延在するよう形成されており、該カバー体５５の剛性を高めている。
【００３１】
図８、図２１、図２４、図２７に示すように、前記カバー体５５には、前記箱状体３９と組み付けた際に、該箱状体３９に形成された前記第１支持孔４３の前方位置に、後方へ開口する軸収容部５７が前方へ突出するよう形成されている。前記軸収容部５７における後面には、前記第１支持孔４３の前方に整列する位置に第２支持孔５８が形成されており、該第１支持孔４３に支持された前記支軸４４の前端部が第２支持孔５８に支持されている。また、前記軸収容部５７は、前記カバー体５５の前面において右側方(第１駆動モータ３６の配設方向)に開口する側方開口部５７ａが形成されており、前記支軸４４に対して回転可能に支持された前記筒状体７４の前端部(後述する前側連繋ギア７５)が軸収容部５７の側方開口部５７ａを介して右側方に露出するよう構成されている。更に、前記カバー体５５には、前記箱状体３９に形成された右側受け部４６および左側受け部４９の前側に、該右側受け部４６および左側受け部４９の前方開口を塞ぐ押え部６１,６１が夫々対応的に形成されており、当該右側受け部４６および左側受け部４９に嵌合支持された前記棒状部材５０の脱落を防止している。
【００３２】
また、前記カバー体５５の前面には、図６に示すように、前方へ突出する位置決め突部５９およびネジ孔(図示せず)が形成された固定突部６０が複数箇所に形成されている。そして、前記上部ＬＥＤ基板６２に形成した位置決め孔６２ｃに前記位置決め突部５９を挿入して位置決めした状態で、該上部ＬＥＤ基板６２に形成したネジ通孔６２ｂに挿通したネジを固定突部６０のネジ孔に螺挿することで、前記カバー体５５の前面側に上部ＬＥＤ基板６２を固定するようになっている(図５、図６参照)。なお、実施例１では、カバー体５５の前面に、複数(実施例１では３つ)の上部ＬＥＤ基板６２が左右方向に横並び状に配置されて、中央に位置する上部ＬＥＤ基板６２の前面側には、光透過性の透過カバー６４ａが取付けられている。また、前記左右に位置する上部ＬＥＤ基板６２の前面側には、ＬＥＤ６２ａの配設位置に対応して前後に貫通する貫通孔が形成された保護カバー６４ｂを取付けてある。
【００３３】
(支持板６５について)
前記支持板６５は、図５、図１５、図１６に示すように、前記裏ユニット３０の背面板３１に取付けられる平板状の平板状部６６に、前方へ突出すると共に後方(裏ユニット３０の背面板３１側)に開口する突条部６７が形成されている。前記突条部６７は、前記平板状部６６(支持板６５)を裏ユニット３０に配設した状態において、左方に向かうにつれて上方傾斜するよう延在している。また、前記突条部６７には、該突条部６７に沿って延在するガイド孔(第２のガイド手段)６７ａが前後に開口するよう形成されており、該ガイド孔６７ａに沿って前記可動部材９０の下端部(具体的には後述する第２連結部１２２)を移動可能に支持すると共にガイド孔６７ａに対して回転し得るようになっている。すなわち、前記ガイド孔６７ａは、前記棒状部材５０の右端部側(延在方向の一方の端部側)から左端部側(延在方向の他方の端部側)に向かうにつれて上方傾斜(棒状部材５０に対して近接するよう傾斜)するよう形成されており、該ガイド孔６７ａの延在方向が棒状部材５０の延在方向に対して交差している。また、前記支持板６５に形成されたガイド孔６７ａの右端部は、前記棒状部材５０の右端部よりも右側に位置している。なお、前記棒状部材５０およびガイド孔６７ａは略同一平面上に位置するよう構成されており、該棒状部材５０およびガイド孔６７ａに対して移動可能に支持された可動部材９０の捩れを極力抑制するようになっている。
【００３４】
(駆動伝達手段７０について) 
次に、前記第１駆動モータ３６と可動部材９０とを連繋接続する駆動伝達手段７０について説明する。図６〜図８に示すように、前記駆動伝達手段７０は、前記第１駆動モータ３６の駆動軸３６ａに取付けられる駆動ギア７１と、前記駆動ギア７１に接続して駆動ギア７１の回転に伴って回転される従動ギア７２と、前記従動ギア７２に接続して該従動ギア７２の回転に伴って回転される筒状体７４と、前記筒状体７４に接続して該筒状体７４の回転に伴って前記棒状部材５０の延在方向に沿って直線移動する可動ラックギア部材７８と、前記可動ラックギア部材７８に対して自由回転可能に設けられた自由回転ギア８１と、前記自由回転ギア８１に接続して前記可動ラックギア部材７８の移動に伴って自由回転ギア８１を回転させる固定ラックギア部材８３と、前記棒状部材５０に摺動可能に配設されて前記自由回転ギア８１に噛合すると共に前記可動部材９０を回転可能に支持する作動体８４とを備えている。ここで、前記従動ギア７２は、前記駆動ギア７１と前記軸収容部５７との間に位置するよう前記ユニット体３８(カバー体５５)の前面に左右方向に並んで複数(実施例１では３つ)配設されて、各従動ギア７２が列をなすよう噛合して所謂ギアトレインを構成している。そして、ギアトレインの一方の端部側(図６の右端)に位置する従動ギア７２に前記第１駆動モータ３６の駆動軸３６ａに取付けられた前記駆動ギア７１が噛合すると共に、他方の端部側(図６の左端)に位置する従動ギア７２に、前記軸収容部５７の側方開口部５７ａに臨んだ前記筒状体７４の前側連繋ギア７５(後述)が噛合するようになっている。
【００３５】
(筒状体７４)
前記筒状体７４は、図６、図８に示すように、前後方向に挿通孔７４ａが貫通した円筒状に形成されており、該筒状体７４の前端部および後端部にギア７５,７６が形成されている。そして、前記ユニット体３８の箱状体３９およびカバー体５５に架設される前記支軸４４が挿通孔７４ａに挿通されて、支軸４４を中心にユニット体３８に対して前記筒状体７４が回転可能に支持されている。なお、筒状体７４の前端部に設けられたギアを前側連繋ギア７５と指称し、後端部に設けられたギアを後側連繋ギア７６と指称するものとする。前記筒状体７４に設けられた前側連繋ギア７５は、前記軸収容部５７の側方開口部５７ａを介してユニット体３８(カバー体５５)の前面に臨んでおり、この前側連繋ギア７５に対して前記従動ギア７２が噛合するよう構成されている。すなわち、前記従動ギア７２の回転(第１駆動モータ３６の回転)に伴って筒状体７４が支軸４４を中心に回転するようになっている。また、前記後側連繋ギア７６は、前記筒状体７４の外周面より外方に延出するよう形成されると共に、前記仕切板５１に形成された切欠部５２ａを介して前記箱状体３９と仕切板５１との間に画成された後側空間部４１ｂに臨んでおり、該後側空間部４１ｂの内部で前記可動ラックギア部材７８に接続するようになっている(図１１〜図１３、図２１、図２４、図２７参照)。
【００３６】
(可動ラックギア部材７８について)
前記可動ラックギア部材７８は、図６、図８、図１１〜図１３に示すように、横長の矩形状に形成されると共に、後面における左右方向の全長に亘って延在する溝部７９が形成されている。そして、前記箱状体３９(第１箱状部４１)に形成した前記レール部４２が、前記可動ラックギア部材７８の溝部７９に摺動可能に嵌合した状態で、前記箱状体３９に形成された後側空間内に収容されている。すなわち、前記後側空間部４１ｂの内部において前記可動ラックギア部材７８が前記レール部４２に沿って左右方向に移動し得るよう構成される。なお、前記溝部７９内の上下端部には、摺接突起部７９ａが左右方向に離間する複数箇所に形成されており、該摺接突起部７９ａが前記レール部４２に摺接して、前記可動ラックギア部材７８を移動した際の抵抗を軽減している。
【００３７】
また、図６、図８、図１１〜図１３に示すように、前記可動ラックギア部材７８の上端面は、略全長に亘ってラックギア７８ａが設けられている。そして前記可動ラックギア部材７８のラックギア７８ａに対して、前記仕切板５１の切欠部５２ａを介して前記後側空間部４１ｂに臨ませた前記筒状体７４の後側連繋ギア７６が噛合するようになっている。すなわち、前記筒状体７４(第１駆動モータ３６)が回転することにより前記可動ラックギア部材７８がレール部４２に沿って左右方向に移動される。
【００３８】
また、前記可動ラックギア部材７８の左端部側には、図６、図８、図１４に示すように、前方へ突出する支持部８０が形成されており、該支持部８０の前端部に前記自由回転ギア８１が自由回転可能に支持されている。前記支持部８０は、前記仕切板５１のガイド孔５１ａを介して前記ユニット体３８の前側空間部４０ａ内に突出するよう構成され、該支持部８０に支持された自由回転ギア８１がユニット体３８の前側空間部４０ａ内に位置するようになっている。ここで、前記可動部材９０が初期位置にある状態では、前記支持部８０がガイド孔５１ａの右端部に位置し(図１１参照)、可動部材９０が可動位置にある状態で、支持部８０がガイド孔５１ａの左端部(図１３参照)に位置するよう構成されている。
【００３９】
(固定ラックギア部材８３について)
前記固定ラックギア部材８３は、図６〜図９に示すように、横長の矩形状に形成され、前記支持板５１のガイド孔５１ａの上方に位置するよう前記仕切板５１の前面に配設されている。そして、前記固定ラックギア部材８３の下端面には、略全長に亘ってラックギア８３ａが設けられており、前記ガイド孔５１ａに挿通された支持部８０に設けた前記自由回転ギア８１が固定ラックギア部材８３のラックギア８３ａに噛合するようになっている。ここで、前記固定ラックギア部材８３のラックギア８３ａは、前記仕切板５１のガイド孔５１ａの全長に亘って延在するよう形成されて、該ガイド孔５１ａに沿って支持部８０が移動した際に、前記自由回転ギア８１が固定ラックギア部材８３のラックギア８３ａに常に噛合するよう構成される。すなわち、前記自由回転ギア８１は、前記可動ラックギア部材７８の移動に伴って固定ラックギア部材８３の延在方向に沿って移動すると共に、該固定ラックギア部材８３との噛合により自由回転ギア８１が前記ユニット体３８の前側空間部４０ａ内で回転するようになっている。
【００４０】
(作動体８４について)
前記作動体８４は、図６〜図８、図１０に示すように、前記棒状部材５０に対して移動可能に支持された支持体部８５と、該支持体部８５に設けられて前記可動部材９０が接続される接続部８９とを備えており、該支持体部８５に形成されたラックギア８５ａが前記自由回転ギア８１に噛合している。前記支持体部８５は、前記カバー体５５の後面に対向する横長矩形板状に形成された前板部８６と、該前板部８６の上端縁から後方に延出し、上端部に前記自由回転ギア８１に噛合するラックギア８５ａが形成された上板部８７と、当該前板部８６の後面側に左右に離間して形成され、左右方向に貫通する貫通孔８８ａが形成された摺動部８８とを備え、各摺動部８８の貫通孔８８ａに棒状部材５０を挿通することで、棒状部材５０に沿って移動可能に作動体８４が支持される。すなわち、前記作動体８４(支持体部８５)は、前記自由回転ギア８１の回転に伴って棒状部材５０の延在方向に沿って移動するよう構成されている。ここで、前記自由回転ギア８１は、前記棒状部材５０の延在方向に前記可動ラックギア部材７８と一体的に移動することから、該可動ラックギア部材７８の移動量と、該自由回転ギア８１の回転に伴った移動量の合計分だけ前記作動体８４が移動する。
【００４１】
また、前記各摺動部８８の貫通孔８８ａに棒状部材５０を挿通することで、前記作動体８４が棒状部材５０を中心として回転し得るようになっている。ここで、前記前板部８６は、図１４に示すように、前記カバー体５５の後面から離間するよう構成されており、該作動体８４の上端縁または下端縁がカバー体５５の後面に接触して規制される範囲で、当該作動体８４が前記棒状部材５０を中心として回転し得るようになっている。ここで、前記作動体８４の回転範囲は、前記作動体８４のラックギア８５ａと自由回転ギア８１との噛合状態が維持される範囲に設定されており、該自由回転ギア８１の移動および回転に伴って作動体８４を棒状部材５０に沿って移動させ得るようになっている。すなわち、前記第１の可動演出装置３５における前記ユニット体３８および支持板６５を裏ユニット３０に配設した際に、寸法公差等に起因して前記棒状部材５０および突条部６７(ガイド孔６７ａ)の位置が前後方向に位置ずれしても、可動部材９０に捩れが生ずるのを防止している。
【００４２】
前記接続部８９は、図８、図１６に示すように、後方に突出する突部であって、前記可動部材９０に形成された第１連結部９２ａの挿通孔９２ｂ(後述)に挿入することで、作動体８４に対して可動部材９０が回転可能に連結される。なお、前記第１連結部９２ａの挿通孔９２ｂに挿入された前記接続部８９の後端部には抜止め部材９７がネジ止めされており、該挿通孔９２ｂからの接続部８９の脱落を防止している。また、前記接続部８９は、右側(図８、図１６では左側)に位置する摺動部８８の後端部に形成してあるが、これに限られるものではなく作動体８４の任意の位置に形成すればよい。
【００４３】
更に、図６、図１１〜図１３、図２０、図２１、図２３、図２４、図２６、図２７に示すように、前記作動体８４(上板部８７)の右端部には、右方向に突出する位置検出片８７ａが形成されている。そして、作動体８４が棒状部材５０の右端部に移動した際に、前記カバー体５５の後面に配設された前記位置検出センサ６３により位置検出片８７ａが検出され、可動部材９０の初期位置を認識し得るようになっている。すなわち、前記作動体８４は、前記棒状部材５０の右端部に位置して前記可動部材９０の初期位置に対応する原位置(第１位置)と、該棒状部材５０の左端部に位置して可動部材９０の可動位置に対応する終位置(第２位置)との間を往復移動する。すなわち、前記可動部材９０が初期位置にある状態では、前記作動体８４が棒状部材５０の右端部に位置すると共に、可動部材９０の第２連結部１２２が前記支持板６５のガイド孔６７ａの右下端部に位置して、当該可動部材９０が上下方向に延在し、作動体８４が左方向に移動するにつれて、第２連結部１２２が支持板６５のガイド孔６７ａに沿って移動し、可動部材９０が左方向に傾倒するようになっている。
【００４４】
(可動部材９０について)
図１５、図１６に示すように、前記可動部材９０は、前記駆動伝達手段７０(具体的には作動体８４)に支持される第１連結部９２ａが設けられた可動体本体(第１部材)９１と、該可動体本体９１に対して相対的にスライド移動可能に構成されると共に前記支持板６５に支持される第２連結部１２２が設けられたスライド部材(第２部材)１２０とから基本的に構成されている。すなわち、前記可動体本体９１に対してスライド部材１２０がスライド移動することで、前記可動部材９０が長手方向に伸縮して全長が可変するようになっている。
【００４５】
(可動体本体９１について)
前記可動体本体９１は、図５、図１５に示すように、前記ユニット体３８および支持板６５の間に亘って延在する長尺形状に形成されている。そして前記可動体本体９１は、図１５、図１６に示すように、略矩形板状に形成された前半体９２と、該前半体９２の裏側に配設される後半体９８とからなり、前後の半体の間に前記スライド部材１２０がスライド可能に収容される収容空間１０６(図１７参照)が画成されている。前記可動体本体９１を構成する前記前半体９２および後半体９８の夫々は、光透過性の合成樹脂材により形成されると共に、該後半体９８の裏側には、上方へ向けて光を照射するＬＥＤ１１０ａを実装したＬＥＤ基板１１０が配設されており、該ＬＥＤ基板１１０のＬＥＤ１１０ａにより可動体本体９１が発光するようになっている。なお、以下の説明では、前記可動体本体９１に配設される前記ＬＥＤ基板を可動体ＬＥＤ基板１１０というものとする。また、前記前半体９２と後半体９８との間には、光拡散加工が施された光拡散シート１０８が配設されており、前記可動体ＬＥＤ基板１１０のＬＥＤ１１０ａからの光を光拡散シート１０８で拡散して前半体９２全体を発光させ得るようになっている。
【００４６】
前記前半体９２は、図１５、図１６に示すように、略矩形状に形成された前面板９３に、長手方向に沿った一対の長辺側縁部および１つの短辺側縁部(図１６の上端側の縁部)の３辺に亘って後方へ向けて突出する外周壁部９４が形成されている。すなわち、前記前半体９２は、後方および長手方向の一方向(図１６の下方)に開放するよう形成されている。そして、前記前半体９２において前記外周壁部９４が形成された短辺側縁部(図１６の上端側の縁部)に、該前半体９２の長手方向外方へ延出するよう前記第１連結部９２ａが形成されている。前記第１連結部９２ａには、前後に開口する挿通孔９２ｂが形成されており、前記駆動伝達手段７０を構成する作動体８４に設けられた前記接続部８９が第１連結部９２ａの挿通孔９２ｂに回転可能に挿通されている。すなわち、前記第１連結部９２ａの挿通孔９２ｂに前記接続部８９を挿通することで、前記可動体本体９１(可動部材９０)が作動体８４に対して回転可能に支持される。なお、前記接続部８９の後端部には、前記第１連結部９２ａの挿通孔９２ｂより大径に形成された抜止め部材９７がネジ止めされて、接続部８９および第１連結部９２ａの脱落を防止している。
【００４７】
また、前記前半体９２は、前記外周壁部９４における長手方向の両端部近傍に、ネジ孔９５ａが形成された固定部９５が設けられている。なお、前記前面板９３は、短手方向の所定位置において前方へ突出する山型形状に形成される(図１７参照)。そして、前記前面板９３には、短手方向に延在する溝状の光拡散加工が施されており、前記可動体ＬＥＤ基板１１０のＬＥＤ１１０ａからの光を拡散して前半体９２の全体が明輝するよう構成されている。
【００４８】
前記後半体９８は、図１５、図１６に示されるように、前記前半体９２の外周壁部９４により形成された後方開口を覆う平板状に形成された平板面９８ａに、該前半体９２のネジ孔９５ａと対応する位置にネジ通孔９８ｂが形成されて、該後半体９８のネジ通孔９８ｂに挿通したネジを前半体９２のネジ孔９５ａに螺挿することで、前後の半体９２,９８が固定される。すなわち、前記前半体９２および後半体９８を固定した状態では、該前半体９２の外周壁部９４の後端部に後半体９８の平板面９８ａが当接して、当該前半体９２および後半体９８の間に前記収容空間１０６が画成されるようになっている。また、前記後半体９８(平板面９８ａ)の前面には、前方へ向けて突出する押え突部９９が複数箇所に形成されており、前半体９２および後半体９８を固定した際に、前記光拡散シート１０８を前半体９２の前面板９３と各押え突部９９とにより挟持固定するようになっている。なお、前記各押え突部９９は、前記前半体９２(前面板９３)から後半体９８(平板面９８ａ)までの間隔に対応するよう該押え突部９９の形成位置に応じて突出寸法が設定されている。
【００４９】
また、図１６に示すように、前記後半体９８(平板面９８ａ)の後面には、後方へ突出する位置決め突部１００およびネジ孔１０１ａを有する固定突部１０１が複数箇所(夫々２箇所ずつ)に形成されている。そして、前記後半体９８の位置決め突部１００を前記可動体ＬＥＤ基板１１０に形成した位置決め孔１１０ｂに挿入した状態で、該可動体ＬＥＤ基板１１０のネジ通孔１１０ｃに挿通したネジを後半体９８に設けた固定突部１０１のネジ孔１０１ａに螺挿することで、当該可動体ＬＥＤ基板１１０が後半体９８に固定されている。また、前記後半体９８には、前記可動部材９０の傾倒方向前側の下端部(図１８の左下端部)に、前方へ向けて突出する本体側挟持片１０２が形成されており、後述するカバー部材１１５に形成されたカバー側挟持片１１７との間に前記可動体ＬＥＤ基板１１０に接続したフレキシブルフラットケーブル１１２を挟持するよう構成されている。
【００５０】
(可動体ＬＥＤ基板１１０について)
前記可動体ＬＥＤ基板１１０は、図１５〜図１８に示すように、前記後半体９８の略全面を覆う形状に形成されて、前方へ光を照射するＬＥＤ１１０ａが基板前面に実装されている。ここで、前記可動体ＬＥＤ基板１１０の前面側下端部には、下方側に差込口(図示せず)が開口するコネクタ差込部１１１が設けられており、薄平板状に形成した導体を複数本並べて絶縁体で被覆して形成されたフレキシブルフラットケーブル１１２がコネクタ差込部１１１に下方から差し込まれている。すなわち、前記可動体ＬＥＤ基板１１０から下方にフレキシブルフラットケーブル１１２が延出するよう構成されている。ここで、前記コネクタ差込部１１１から可動体ＬＥＤ基板１１０の下方に延出する前記フレキシブルフラットケーブル１１２は、複数回(実施例１では４回)に亘って捩るように折曲げられて、前記可動部材９０の側端面(後半体９８に形成された本体側挟持片１０２)に誘導され、該本体側挟持片１０２から可動部材９０の下方に延出するよう構成されている。
【００５１】
なお、前記フレキシブルフラットケーブル１１２は、前記裏ユニット３０に配設される中継基板３３(図３等参照)に接続されて、該中継基板３３を制御装置に対して配線接続することで、前記可動体ＬＥＤ基板１１０が制御装置に電気的に接続されるよう構成してある。ここで、実施例１に係る可動体ＬＥＤ基板１１０は、前記図柄表示装置１７を制御する制御装置に対して配線接続されており、該図柄表示装置１７で実行される演出に合わせて可動体ＬＥＤ基板１１０のＬＥＤ１１０ａを発光させ得るようになっている。
【００５２】
次に、前記フレキシブルフラットケーブル１１２を固定する構成を説明する。図１６、図１８、図１９に示すように、前記後半体９８における平板面９８ａの後面には、該後半体９８に固定された前記可動体ＬＥＤ基板１１０の下方位置にカバー部材１１５が取付けられており、該可動体ＬＥＤ基板１１０に接続されたフレキシブルフラットケーブル１１２を後半体９８とカバー部材１１５との間で挟持するよう構成されている。ここで、前記カバー部材１１５は、前記後半体９８(可動体本体９１)の平板面９８ａに対向する対向板部１１６と、該対向板部１１６の側端部から前方に延出し、後半体９８(可動体本体９１)に設けられた本体側挟持片１０２に対向するカバー側挟持片１１７とから形成されている。そして、前記後半体９８(可動体本体９１)の平板面９８ａとカバー部材１１５の対向板部１１６との間に、フレキシブルフラットケーブル１１２に設けられた３箇所の折曲げ部１１３が挟持され、後半体９８(可動体本体９１)の本体側挟持片１０２とカバー部材１１５のカバー側挟持片１１７との間に、フレキシブルフラットケーブル１１２に設けられた１箇所の折曲げ部１１３が挟持されるようになっている。
【００５３】
前記後半体９８の平板面９８ａには、図１６、図１８、図１９に示すように、後半体９８とカバー部材１１５との間に挟持された前記フレキシブルフラットケーブル１１２の側縁部に隣接する位置に、カバー部材１１５側に突出する複数(実施例１では３つ)のガイド突部１０４が形成されている。そして、前記カバー部材１１５の対向板部１１６には、各ガイド突部１０４に対応する位置に、当該ガイド突部１０４が嵌合する第１の嵌合孔部(孔部)１１８が形成されている。すなわち、前記カバー部材１１５を後半体９８に取付けた際には、該カバー部材１１５の第１の嵌合孔部１１８にガイド突部１０４が嵌合して、該後半体９８の平板面９８ａとカバー部材１１５の対向板部１１６との間に前記フレキシブルフラットケーブル１１２が挟持されると共に、フレキシブルフラットケーブル１１２の側端部に隣接してガイド突部１０４が位置することで、該フレキシブルフラットケーブル１１２の幅方向への移動を規制するよう構成されている。ここで、前記ガイド突部１０４は、前記フレキシブルフラットケーブル１１２における折曲げ部１１３に対応して設けられて、該折曲げ部１１３の角部にガイド突部１０４が当接して位置規制するようになっている。
【００５４】
また、前記後半体９８には、前記可動体ＬＥＤ基板１１０に設けられたコネクタ差込部１１１の下方位置に、カバー部材１１５側に開口する第２の嵌合孔部１０３が形成されると共に、該カバー部材１１５には、後半体９８に設けられた第２の嵌合孔部１０３に対応する位置に、後半体９８側に向けて突出する嵌合突部１１９が形成されている。そして、カバー部材１１５を後半体９８に取付けた際に、嵌合突部１１９が第２の嵌合孔部１０３に嵌合するようになっている。従って、前記カバー部材１１５を後半体９８に取付けた際に、前記嵌合突部１１９により前記フレキシブルフラットケーブル１１２が厚み方向に押圧されて可撓し、このフレキシブルフラットケーブル１１２の可撓部分が第２の嵌合孔部１０３内に嵌合するようになっている。すなわち、前記嵌合突部１１９がフレキシブルフラットケーブル１１２を第２の嵌合孔部１０３に押し込むことで、可動部材９０を動作させた際に前記コネクタ差込部１１１から抜ける方向にフレキシブルフラットケーブル１１２に力が作用しても、当該フレキシブルフラットケーブル１１２がコネクタ差込部１１１から抜脱するのを規制し得るようになっている。
【００５５】
(スライド部材１２０について)
前記スライド部材１２０は、図１５、図１６、図１９に示すように、前記支持板６５に対して前記ガイド孔６７ａに沿って移動し得ると共に該支持板６５(ガイド孔６７ａ)に対して回転可能な状態で支持される基部１２１と、該基部１２１の自由端部側に設けられて前記可動体本体９１に画成された収容空間１０６内に臨む摺動部１２５とを備えている。すなわち、前記可動体本体９１の収容空間１０６内で前記摺動部１２５が可動体本体９１の長手方向に摺動(スライド移動)することで、前記可動部材９０が伸縮するよう構成されている。
【００５６】
前記基部１２１は、前記可動体本体９１(前半体９２)に形成された一対の位置規制部９６,９６の間に嵌合する幅寸法に形成されると共に、前記摺動部１２５は、該基部１２１より側方へ延出して前記可動体本体９１における前半体９２の長手方向に沿った外周壁部９４に摺接するよう構成されている。すなわち、前記摺動部１２５が前記位置規制部９６,９６に接触することで、前記収容空間１０６からのスライド部材１２０の脱落を防止している。また、前記摺動部１２５には、前後に開口するよう開口(以下光透過孔１２５ａという)が形成されており、前記可動体ＬＥＤ基板１１０と摺動部１２５が前後に重なった状態で、該可動体ＬＥＤ基板１１０のＬＥＤ１１０ａからの光が摺動部１２５の光透過孔１２５ａを介して前半体９２に照射し得るようになっている(図１９参照)。これにより、前記可動体本体９１に内部画成した収容空間１０６内でスライド部材１２０を移動させた際に、可動体ＬＥＤ基板１１０による照明が阻害されることはない。
【００５７】
また、前記スライド部材１２０(基部１２１)には、後方へ向けて突出する前記第２連結部１２２が形成されている。前記第２連結部１２２は、前記基部１２１に連設する台部１２２ａと、該台部１２２ａの後端部に設けられた軸部１２２ｂとからなり、前後に貫通する通孔１２３ａを形成した円筒状軸受け部材１２３が軸部１２２ｂに外挿されている。そして、前記支持板６５に形成したガイド孔６７ａに対して、前記第２連結部１２２および円筒状軸受け部材１２３が前側から摺動可能に挿入されている。そして、前記支持板６５のガイド孔６７ａに挿入された前記軸部１２２ｂに対して、前記支持板６５のガイド孔６７ａよりも大径に形成された円板部材１２４がネジ止めされ、該ガイド孔６７ａからの第２連結部１２２(円筒状軸受け部材１２３)の抜止めをするようになっている。
【００５８】
また、前記円筒状軸受け部材１２３の前端部には、径方向に延出するフランジ部１２３ｂが形成されている。すなわち、前記円筒状軸受け部材１２３のフランジ部１２３ｂおよび前記円板部材１２４が、前記ガイド孔６７ａが形成された前記支持板６５の突条部６７を前後から挟むよう位置することで、スライド部材１２０の前後移動を規制して、ガイド孔６７ａに対するスライド部材１２０の移動および回転の安定性を向上している。なお、前記円板部材１２４は、前記突条部６７の後方開口を介して該突条部６７の内部に位置するよう構成され、該円板部材１２４が裏ユニット３０に干渉するのを防止している。
【００５９】
このように、実施例１に係る可動部材９０は、上端部(第１連結部９２ａ)が前記作動体８４(接続部８９)に支持されると共に、下端部(第２連結部１２２)が支持板６５の突条部６７(ガイド孔６７ａ)に支持されている。そして、前記作動体８４が前記原位置から終位置に向けて移動するのに伴って、初期位置(図２０〜図２２参照)にある前記可動部材９０の上端部(第１連結部９２ａ)が左方向に移動する。可動部材９０の上端部(第１連結部９２ａ)の移動に伴って当該可動部材９０の下端部(第２連結部１２２)が支持板６５の突条部６７(ガイド孔６７ａ)に沿って移動する。すなわち、前記第１連結部９２ａおよび第２連結部１２２の相対的な位置関係が変化することで、前記可動部材９０が左方向に傾倒するよう第１連結部９２および第２連結部１２２を中心として回転する。
【００６０】
そして、前記作動体８４が終位置に至る途中の切替位置(図２３〜図２５参照)に移動すると、前記第２連結部１２２が支持板６５の突条部６７(ガイド孔６７ａ)の左上端部(棒状部材５０に近接する端部側)まで移動するようになっている。従って、前記作動体８４が切替位置から終位置に移動する間は、前記可動部材９０の下端部(スライド部材１２０の第２連結部１２２)が支持板６５の突条部６７(ガイド孔６７ａ)に沿って移動するのは規制され、当該可動部材９０が第２連結部１２２を中心として左右に傾倒するようになる。ここで、前記作動体８４が切替位置から終位置(図２６〜図２８参照)に移動する際には、前記第１連結部９２ａと第２連結部１２２との離間間隔が拡がることになるから、前記可動体本体９１の収容空間１０６からスライド部材１２０が引き出されて、可動部材９０が伸張する。
【００６１】
(第２の可動演出装置１３５について)
次に、前記第２の可動演出装置１３５について簡単に説明する。前記第２の可動演出装置１３５は、図４に示すように、前記裏ユニット３０に取付けられる装置本体(図示せず)と、該装置本体に配設されて図示しない制御装置に配線接続された第２駆動モータ(図示せず)と、当該装置本体に固定された第１被覆部材１３７と、当該装置本体に対して移動可能に支持された第２被覆部材１３８とから基本的に構成されて、第２駆動モータおよび第２被覆部材１３８を図示しない駆動伝達手段を介して連繋接続するようになっている。すなわち、前記第２の可動演出装置１３５は、制御装置からの制御信号に基づいて第２駆動モータを駆動することで、駆動伝達手段を介して第２被覆部材１３８が動作するようになっている。なお、前記駆動伝達手段は、第２駆動モータの回転運動を直線運動に変換するギア機構が採用されている。
【００６２】
ここで、前記第１被覆部材１３７は、前記第１の可動演出装置３５の可動部材９０が初期位置にある状態において、該可動部材９０の上端部側の前方に位置するよう構成され、当該可動部材９０の上端部を第１被覆部材１３７で被覆するよう構成されている。そして、前記第２被覆部材１３８は、前記第１被覆部材１３７の下方に設けられると共に、前記第１の可動演出装置３５の可動部材９０が初期位置にある状態で可動部材９０の前側に位置して、当該第１被覆部材１３７および第２被覆部材１３８により可動部材９０の全体を被覆するよう構成される。
【００６３】
また、前記第２被覆部材１３８は、前記第１の可動演出装置３５の可動部材９０が初期位置にある状態において、前記第１被覆部材１３７に対して当該可動部材９０の延在方向に近接および離間移動するよう構成されている。すなわち、前記第２駆動モータの駆動に伴って、前記第１被覆部材１３７および第２被覆部材１３８が近接して両被覆部材１３７,１３８により前記可動部材９０の全体を被覆する被覆位置(図４(a)参照)と、該第１被覆部材１３７から第２被覆部材１３８が離間して両被覆部材１３７,１３８の間から可動部材９０が露出する開放位置(図４(b)参照)との間で当該第２被覆部材１３８が移動するよう構成されている。
【００６４】
〔実施例１の作用〕
次に、前述のように構成された実施例１に係るパチンコ機１０の作用につき説明する。
【００６５】
前記遊技盤２０に設けたレール２１に沿って遊技領域２０ａに打ち出されたパチンコ球は、遊技盤２０上に設けた遊技釘等に接触して流下方向を変更しながら流下する。そして、前記遊技領域２０ａを流下するパチンコ球が前記始動入賞装置２４に入賞すると、前記制御装置の制御に基づいて前記図柄表示装置１７での図柄変動演出が開始され、図柄変動演出の結果、図柄表示装置１７に所定の図柄組み合わせが表示されると大当りが発生する。大当りが発生すると、図柄表示装置１７に表示された図柄組み合わせに応じて、前記遊技盤２０の下方に設けられた特別入賞装置２５が開放されると共に、前記制御装置の制御に基づいて図柄表示装置１７において大当り演出が行なわれる。
【００６６】
そして、前記図柄表示装置１７で展開される図柄変動演出や大当り演出等に合わせて、前記裏ユニット３０に配設された前記各可動演出装置３５,１３５が前記制御装置からの制御信号に基づいて作動されて、動作演出や発光演出が行なわれる。すなわち、前記第２の可動演出装置１３５に設けた第２駆動モータを駆動することで、前記第２被覆部材１３８が被覆位置と開放位置との間で移動して、初期位置にある第１の可動演出装置３５の可動部材９０を覆い隠した状態と、可動部材９０が露出する状態に切替えて遊技演出が行なわれる。
【００６７】
次に、第１の可動演出装置３５の動作演出について説明する。前記第１の可動演出装置３５の可動部材９０が初期位置(図２０〜図２２参照)にある状態で、該第１の可動演出装置３４が備える第１駆動モータ３６が駆動されると、該第１駆動モータ３６の駆動軸３６ａに設けた駆動ギア７１の回転に伴って各従動ギア７２が回転されると共に、該従動ギア７２に噛合した前側連繋ギア７５を介して筒状体７４が回転される。そして、前記筒状体７４の回転に伴って、該筒状体７４の後側連繋ギア７６にラックギア７８ａが噛合する可動ラックギア部材７８がユニット体３８(第１箱状部４１)に設けたレール部４２に沿って後側空間部４０ｂ内を左方向にスライド移動する。
【００６８】
ここで、前記可動ラックギア部材７８に設けられた自由回転ギア８１は、前記ユニット体３８(第１箱状部４１)に設けた固定ラックギア部材８３のラックギア８３ａに噛合している。このため、前記可動ラックギア部材７８のスライド移動に伴って前記自由回転ギア８１が固定ラックギア部材８３に沿って左方向にスライド移動しつつ回転することになる。また、前記自由回転ギア８１には、前記棒状部材５０に摺動可能に支持された作動体８４のラックギア８５ａが噛合しているから、該自由回転ギア８１(可動ラックギア部材７８)のスライド移動に伴って作動体８４が原位置から終位置に向けて移動する。更に、作動体８４は前記自由回転ギア８１の回転に伴って原位置から終位置に向けて送出されるから、該自由回転ギア８１(可動ラックギア部材７８)のスライド移動量に加えて、当該自由回転ギア８１の回転に伴った移動量の合計分だけ作動体８４が移動する。このように、前記筒状体７４と作動体８４との間に、前記可動ラックギア部材７８、固定ラックギア部材８３および自由回転ギア８１の夫々を介在させたことで、筒状体７４の後側連繋ギア７６と作動体８４のラックギア８５ａとを直接接続する構成に較べて第１駆動モータ３６の回転に伴って作動体８４(可動部材９０)を大きく移動することができ、第１駆動モータ３６の回転数を抑制しつつ可動部材９０に対して大きな動作を行なわせ得る。
【００６９】
また、前記作動体８４に形成された接続部８９には、前記可動部材９０に設けた第１連結部９２ａが回転可能に接続されているから、該作動体８４が原位置から切替位置(図２３〜図２５参照)に向けて移動するのに伴って、可動部材９０の上端部が棒状部材５０に沿って左方向に移動する。ここで、前記可動部材９０(スライド部材１２０)の下端部に設けた前記第２連結部１２２は、前記裏ユニット３０に設けた支持板６５に形成された突条部６７のガイド孔６７ａに挿入支持され、該突条部６７(ガイド孔６７ａ)に沿って第２連結部１２２が移動し得ると共に、突条部６７(ガイド孔６７ａ)に対して第２連結部１２２が回転し得るようになっている。また前述のように、前記作動体８４が摺動可能に支持される棒状部材５０は、左右方向に延在する一方で、前記支持板６５の突条部６７(ガイド孔６７ａ)は、左方向に向かうにつれて上方傾斜するよう形成してある。
【００７０】
このように、前記棒状部材５０の延在方向と、前記突条部６７(ガイド孔６７ａ)の延在方向とを交差するよう異ならせて、該棒状部材５０に沿って移動する作動体８４に対して可動部材９０の上端部を回転可能に支持し、更に可動部材９０の下端部を突条部６７(ガイド孔６７ａ)に沿って移動しつつ回転可能に支持するよう構成したことで、該作動体８４の移動に伴って可動部材９０を移動させた際に、棒状部材５０に対する接続部８９および第１連結部９２ａの位置と、突条部６７(ガイド孔６７ａ)に対する第２連結部１２２の位置に応じて可動部材９０の傾斜姿勢が適宜に変化する。すなわち、可動部材９０を動作した際に、該可動部材９０が単純に第２連結部１２２を中心に揺動することはなく、該第２連結部１２２の移動に伴って可動部材９０に対して傾倒動作および伸縮動作の複合的な動きを行なわせることができ、当該可動部材９０の動作による演出効果を向上し得る。
【００７１】
また、前記作動体８４が原位置から終位置に至る途中の切替位置に移動すると、前記突条部６７(ガイド孔６７ａ)の左端部まで可動部材９０の第２連結部１２２が移動して、該突条部６７(ガイド孔６７ａ)の端部に第２連結部１２２が当接係合し、当該突条部６７(ガイド孔６７ａ)に沿った第２連結部１２２の移動が規制される。このため、前記作動体８４が切替位置(図２３〜図２５参照)まで移動した後は、該作動体８４が切替位置から終位置へ移動する際に、可動部材９０が第２連結部１２２を中心として傾倒しつつ、該可動部材９０を構成する可動体本体９１がスライド部材１２０に対して伸張する(図２６〜図２８参照)。すなわち、図３に示すように、前記作動体８４が原位置から切替位置に移動する間の可動部材９０の姿勢変化と、切替位置から終位置に作動体８４が移動する間の可動部材９０の姿勢変化とを異ならせることができ、該可動部材９０により複雑な動きをさせることが可能となる。
【００７２】
そして、前記作動体８４が棒状部材５０に沿って終位置から原位置に移動した際には、前記可動部材９０の第２連結部１２２は突条部６７(ガイド孔６７ａ)に沿って右下端部へ向けて移動し、最終的に作動体８４の位置検出片８７ａを位置検出センサ６３が検出することで、可動部材９０が初期位置に復帰する。ここで、前記棒状部材５０の延在方向に対して前記突条部６７(ガイド孔６７ａ)の延在方向を交差させたことで、前記可動部材９０の第２連結部１２２が突条部６７(ガイド孔６７ａ)の開口縁に当接して抵抗となり、前記スライド部材１２０が可動体本体９１の収容空間１０６内に収容される。すなわち、前記作動体８４が棒状部材５０に沿って終位置から原位置に移動するだけで、可動部材９０を短縮することができる。このように、前記作動体８４を棒状部材５０に沿って移動するだけで前記可動部材９０を伸縮することができるから、該可動部材９０の伸縮動作用に個別に駆動源を設ける必要はなく、第１の可動演出装置３５の構成の簡略化やコストの低減を図り得る。
【００７３】
次に前記第１の可動演出装置３５における可動部材の配線接続構造について説明する。実施例１の可動部材９０では、前記可動体ＬＥＤ基板１１０のコネクタ差込部１１１に対してフレキシブルフラットケーブル１１２を接続するよう構成してあるから、該可動部材９０の動作に対する配線の追従性が高く、断線等の発生を抑制することができる。また、前記フレキシブルフラットケーブル１１２は、該フレキシブルフラットケーブル１１２を捩るように折曲げることで、該ケーブル１１２を幅方向に引き回されている。ここで、前記可動部材９０は、該可動部材９０(後半体９８)にカバー部材１１５を配設して、当該可動部材９０(後半体９８)の平板面９８ａとカバー部材１１５の対向板部１１６との間に前記フレキシブルフラットケーブル１１２の折曲げ部１１３を挟持しているから、可動部材９０を動作させた際に、フレキシブルフラットケーブル１１２の折曲げ部１１３に過度な力が作用するのを防止し得る。
【００７４】
すなわち、前記可動部材９０の動作に伴ってフレキシブルフラットケーブル１１２の折曲げ部１１３が繰り返し屈曲されるのを効果的に抑制でき、該フレキシブルフラットケーブル１１２の断線を防止し得る。また、前記フレキシブルフラットケーブル１１２の折曲げ部１１３をカバー部材１１５で覆うよう構成したことで、可動部材９０の動作時に、該フレキシブルフラットケーブル１１２の折曲げ部１１３が何らかの部材に引っ掛かるのを確実に防止できるから、ケーブル１１２の断線をより確実に防ぐことができる。
【００７５】
また、前記カバー部材１１５を前記可動部材９０(後半体９８)に固定した際に、該可動部材９０(後半体９８)に形成したガイド突部１０４が、カバー部材１１５に形成した第１の嵌合孔部１１８に嵌合すると共に、該ガイド突部１０４がフレキシブルフラットケーブル１１２の側端縁に近接位置するよう構成してあるから、可動部材９０を動作して該ケーブル１１２が引張られたとしても、該可動部材９０(後半体９８)およびカバー部材１１５の間の所定位置に位置規制することができる。このように、前記ガイド突部１０４を設けたから、前記可動部材９０の動作に伴ってフレキシブルフラットケーブル１１２が位置ずれするのを防止でき、可動部材９０の動作時に、フレキシブルフラットケーブル１１２を引張る力が作用したとしても、可動部材９０とカバー部材１１５との間からケーブル１１２の折曲げ部１１３が外部に引き出されるのを防止できる。従って、フレキシブルフラットケーブル１１２の折曲げ部１１３の保護の確実性を向上し得る。また、前記ガイド突部１０４をフレキシブルフラットケーブル１１２の両側部に位置させたことで、該ケーブル１１２の移動をより確実に防止することができる。更に、前記フレキシブルフラットケーブル１１２における折曲げ部１１３に対応して前記ガイド突部１０４が位置するから、該ケーブル１１２が引張られた際には、当該ケーブル１１２を折り返した角部に当接することで、該折曲げ部の移動を確実に阻止し得る。
【実施例２】
【００７６】
次に、実施例２に係る第１の可動演出装置の構成に関して説明する。なお、実施例２に係る第１の可動演出装置１５０において、実施例１で説明した第１の可動演出装置３５と同一の構成・部材に関しては、同一の符号を付して詳細な説明は省略する。
【００７７】
前述した実施例１では、第１の可動演出装置３５における支持板６５に対して、棒状部材５０の右端部側から右端部側に向かうにつれて棒状部材５０に近接するよう突条部６７(ガイド孔６７ａ)を形成するよう構成した。これに対して、実施例２に係る第１の可動演出装置１５０の支持板６５には、図２９、図３０に示すように、前記棒状部材５０の右端部の鉛直下方位置に、前記突条部６７が上下方向に延在するよう形成されると共に、該突条部６７に沿ってガイド孔６７ａが上下方向に延在するよう形成されている。そして、前記可動部材９０が初期位置にある状態において、該可動部材９０に設けた第２連結部１２２が前記突条部６７(ガイド孔６７ａ)の下端部に位置するよう構成されている。このとき、前記可動部材９０のスライド部材１２０は、可動体本体９１の収容空間１０６内に挿入された挿入位置に位置している。
【００７８】
すなわち、実施例２に係る第１の可動演出装置１５０では、初期位置(図２９参照)にある可動部材９０の上端部を支持する作動体８４が原位置から終位置に向けて移動するにつれて、前記突条部６７(ガイド孔６７ａ)に沿って可動部材９０の第２連結部１２２が上方移動し、該作動体８４が終位置まで移動することで、第２連結部１２２が突条部６７(ガイド孔６７ａ)の上端部に移動すると共に前記可動体本体９１の収容空間１０６からスライド部材１２０が引き出されて可動部材９０が伸張して可動位置(図３０参照)に移動する。
【００７９】
このように、前記突条部６７(ガイド孔６７ａ)を上下方向に延在するよう形成した場合でも、実施例１における第１の可動演出装置３５と同様に、可動部材９０が単純な揺動動作を行なうことはなく、可動部材９０に対して傾倒動作および伸縮動作の複合的な動きを行なわせることができ、当該可動部材９０の動作による演出効果を向上し得る。また、前記作動体８４が終位置から原位置に向けて移動する際には、前記可動部材９０の第２連結部１２２が突条部６７(ガイド孔６７ａ)の開口縁に当接して抵抗となり、前記スライド部材１２０が可動体本体９１の収容空間１０６内に収容された挿入位置に相対的に移動し、その後に可動部材９０が初期位置に復帰する。このように、実施例２に係る第１の可動演出装置１５０においても、前記作動体８４を棒状部材５０に沿って移動するだけで前記可動部材９０を伸縮することができるから、該可動部材９０の伸縮動作用に個別に駆動源を設ける必要はなく、装置構成の簡略化やコストの低減を図り得る。
【実施例３】
【００８０】
次に、実施例３に係る第１の可動演出装置の構成に関して説明する。なお、実施例３に係る第１の可動演出装置において、実施例１で説明した第１の可動演出装置３５と同一の構成・部材に関しては、同一の符号を付して詳細な説明は省略する。
【００８１】
実施例３に係る第１の可動演出装置は、図３１に示すように、可動部材９０における可動体ＬＥＤ基板１１０に対するフレキシブルフラットケーブル１１２の配線接続構造が、実施例１に係る第１の可動演出装置３５と異なっている。すなわち、実施例３に係る第１の可動演出装置では、前記可動部材９０の後半体９８に対して、前記フレキシブルフラットケーブル１１２の折曲げ部１１３よりもコネクタ差込部１１１から離間する位置に、第３の嵌合孔部１６２が形成されている。また、前記後半体９８に取付けられるカバー部材１６５には、該第３の嵌合孔部１６２と対応する位置に、当該後半体９８側に突出する嵌合突部１６６が形成されている。すなわち、前記カバー部材１６５を後半体９８に取付けて前記フレキシブルフラットケーブル１１２を後半体９８とカバー部材１６５との間に挟持した際に、折曲げ部１１３よりもコネクタ差込部１１１から離間する位置においてケーブル１１２が該カバー部材１６５の嵌合突部１６６に押圧されて可撓して、このケーブル１１２の可撓部分が第３の嵌合孔部１６２内に嵌合するよう構成されている。
【００８２】
このように、実施例３に係る第１の可動演出装置では、前記カバー部材１６５を後半体９８に取付けて前記フレキシブルフラットケーブル１１２を後半体９８とカバー部材１６５との間に挟持した際に、該ケーブル１１２の可撓部分が第３の嵌合孔部１６２に嵌合するから、可動部材９０を動作した際に当該ケーブル１１２が引張られたとしても、前記嵌合突部１６６よりもコネクタ差込部１１１側に位置するケーブル１１２の折曲げ部１１３に対して作用する力を抑制して、断線をより確実に防止し得る利点がある。
【００８３】
(変更例)
なお、本発明に係る遊技機の構成としては、前述した実施例１〜３に示したものに限らず、種々の変更が可能である。
(１)  各実施例では、第１の可動演出装置(以下、単に可動演出装置という)の装置本体を、駆動手段および駆動伝達手段が設置されると共に可動部材の上端部を支持するユニット体と、可動部材の下端部を支持する支持板とを別部材として構成したが、両部材を別部材とする必要はない。例えば、支持板をユニット体の箱状体やカバー体に対して一体的に形成してもよい。
(２)  各実施例では、前記作動体に対して接続部を突設し、可動部材の第１連結部に形成した挿通孔に対して該接続部を挿入することで、可動部材を作動体に対して回転可能な状態で支持するよう構成したが、これに限らず、作動体に対して可動部材の第１連結部を回転可能な状態で支持する構成であれば、従来公知の各種構成を採用できる。従って、例えば可動部材の第１連結部に突部を形成して作動体に形成した孔に挿入するようにしてもよい。
(３)  各実施例では、第２のガイド手段として支持板に形成した突条部に沿ってガイド孔を形成し、該突条部のガイド孔に対して可動部材に形成した第２連結部(円筒状軸受け部材)を挿入するよう構成したが、該第２連結部を第２のガイド手段に沿って移動し得ると共に該第２のガイド手段に対して回転可能な状態で当該第２連結部を支持する構成であればよい。例えば、第２のガイド手段として支持板に対して直線的に延在する突部を形成し、可動部材には、第２のガイド手段としての突部に沿って移動可能な摺動体を設けると共に、該摺動体を回転可能に支持するよう構成することができる。
(４)  各実施例では、可動部材を可動体本体(第１部材)と、該可動体本体に対して相対的にスライド移動可能なスライド部材(第２部材)とから構成したが、可動部材を単一部材から形成してもよい。
(５)  各実施例では、可動演出装置において駆動手段と可動部材とを連繋接続する駆動伝達手段として、筒状体、可動ラックギア部材、自由回転ギアおよび固定ラックギア部材を備えるよう構成したが、これに限られないことは云うまでもない。すなわち、駆動手段の駆動により作動体を第１のガイド手段に沿って直線的に往復移動させ得る構成であれば、リンク機構やその他従来公知の各種手段を採用し得る。
(６)  各実施例では、可動演出装置に対して可動部材が接続する作動体を摺動可能に支持する第１のガイド手段として直線的に延在する棒状部材を採用し、作動体の摺動部に該棒状部材を挿通するよう構成したが、これに限られるものではなく、該作動体を往復移動可能に支持する構成であれば、第１のガイド手段および作動体の構成として、任意の形態を採用し得る。例えば、第１のガイド手段として、直線的に延在する第１溝部または第１突部を形成すると共に、該第１のガイド手段としての第１溝部または第１突部に沿って摺動可能な第２突部または第２溝部を作動体に対応的に形成すれば、第１のガイド手段に沿って作動体を往復移動し得るよう構成することができる。
(７)  実施例１では、第２のガイド手段(支持板に形成される突条部ガイド孔)を、前記第１のガイド手段(棒状部材)の延在方向の一方端部側(作動体の原位置に対応した右端部側)から他方端部側(作動体の終位置に対応した左端部側)に向かうにつれて、該第１のガイド手段に対して近接するよう傾斜形成し、また実施例２では第２のガイド手段(支持板に形成される突条部ガイド孔)を、第１のガイド手段(棒状部材)の延在方向に直交する方向(上下方向)に延在するよう形成したが、これに限られるものではない。すなわち、第２のガイド手段(支持板に形成される突条部ガイド孔)を、前記第１のガイド手段(棒状部材)の延在方向の一方端部側(作動体の原位置に対応した右端部側)から他方端部側(作動体の終位置に対応した左端部側)に向かうにつれて、該第１のガイド手段から離間するよう傾斜形成してもよい。但し、前記第２のガイド手段(支持板に形成される突条部ガイド孔)を、前記第１のガイド手段(棒状部材)の延在方向に対して傾斜方向に延在するよう形成することで、可動部材に対して複合的な動作をより明確に行なわせることができる。
(８)  各実施例では、可動部材のフレキシブルフラットケーブルを基板取付ベースとしての後半体とカバー部材との間に挟持固定するに際して、該後半体にガイド突部を形成すると共に、該ガイド突部が嵌合する第１の嵌合孔部をカバー部材に形成したが、これとは反対に、後半体に対して第１の嵌合孔部を形成し、第１の嵌合突部に嵌合するガイド突部をカバー部材に形成するようにしてもよい。すなわち、前記基板取付ベースおよびカバー部材の一方に対して、フレキシブルフラットケーブルの側縁部に当接可能なガイド突部を突設すると共に、該基板取付ベースおよびカバー部材の他方に対して、該ガイド突部と対応する位置に、ガイド突部が嵌合する嵌合孔部を形成すれば、該カバー部材を基板取付ベースに固定した際にフレキシブルフラットケーブルの移動を効果的に規制できる。
(９)  各実施例では、前記ガイド突部をフレキシブルフラットケーブルの両側部に位置するよう設けたが、該ケーブルに対して引張る力または押し出す力が作用した際に当該ケーブルに接触する位置にガイド突部を形成すればよい。また、ガイド突部を形成する位置としては、前記フレキシブルフラットケーブルにおける折曲げ部に対応する位置に限られるものではない。
(１０)  各実施例では、可動演出装置における駆動手段および駆動伝達手段が設置されるユニット体を裏ユニットの開口上部に配設すると共に、裏ユニットの開口右下部に支持板を配設するよう構成したが、これに限らず、ユニット体および支持板の配置位置は適宜に選択することができる。なお、前記裏ユニットの開口部を挟んで前記ユニット体および支持板が位置するよう構成することで、可動部材に対して大きな動作を行なわせ得るようになる。
(１１)  実施例では、遊技盤に設けた裏ユニットに可動演出装置を配設したが、これに限らず、遊技盤自体に可動演出装置を取付けるようにしても、また遊技盤に配設される部材(例えば枠状装飾体)に設けるようにしてもよい。
(１２)  実施例では、遊技機としてパチンコ機を例示して説明したが、これに限られるものではなく、アレンジボール機やピンボール機、スロットマシン機等の各種遊技機を採用し得る。
【００８４】
また、請求項１,２に係る発明については、以下の構成を具有するようにすることも可能である。
すなわち、請求項１または２に記載の遊技機について、前記基板取付ベース(98)およびカバー部材(115,165)の一方には、前記フレキシブルフラットケーブル(112)の折曲げ部(113)よりも前記コネクタ(111)から離間する位置に、該フレキシブルフラットケーブル(112)を厚み方向に押圧する嵌合突部(119)が突設されると共に、該基板取付ベース(98)およびカバー部材(115,165)の他方には、前記嵌合突部(119)と対応する位置に嵌合孔部(103)が形成されて、
前記フレキシブルフラットケーブル(112)を前記基板取付ベース(98)とカバー部材(115,165)との間に挟持した際に、前記嵌合突部(119)に押圧されて可撓したフレキシブルフラットケーブル(112)の可撓部分が嵌合孔部(103)内に嵌合するよう構成する。
すなわち、フレキシブルフラットケーブルを前記基板取付ベースとカバー部材との間に挟持した際に、折曲げ部よりもコネクタから離間した位置において嵌合突部に押圧されて可撓したフレキシブルフラットケーブルの可撓部分が嵌合孔部内に嵌合するから、可動部材を動作した際にフレキシブルフラットケーブルの折曲げ部に作用する力を抑制して断線をより確実に防止し得る。
【符号の説明】
【００８５】
３５  第１の可動演出装置(可動演出装置)
３６  第１駆動モータ(駆動手段)
９０  可動部材
９８  後半体(基板取付ベース)
１０３  第２の嵌合孔部(嵌合孔部)
１０４  ガイド突部
１１０  可動体ＬＥＤ基板(基板)
１１１  コネクタ
１１２  フレキシブルフラットケーブル
１１３  折曲げ部
１１５  カバー部材
１１８  第１の嵌合孔部(孔部)
１１９  嵌合突部
【図１】
0005568382.tif 000002
【図２】
0005568382.tif 000003
【図３】
0005568382.tif 000004
【図４】
0005568382.tif 000005
【図５】
0005568382.tif 000006
【図６】
0005568382.tif 000007
【図７】
0005568382.tif 000008
【図８】
0005568382.tif 000009
【図９】
0005568382.tif 000010
【図１０】
0005568382.tif 000011
【図１１】
0005568382.tif 000012
【図１２】
0005568382.tif 000013
【図１３】
0005568382.tif 000014
【図１４】
0005568382.tif 000015
【図１５】
0005568382.tif 000016
【図１６】
0005568382.tif 000017
【図１７】
0005568382.tif 000018
【図１８】
0005568382.tif 000019
【図１９】
0005568382.tif 000020
【図２０】
0005568382.tif 000021
【図２１】
0005568382.tif 000022
【図２２】
0005568382.tif 000023
【図２３】
0005568382.tif 000024
【図２４】
0005568382.tif 000025
【図２５】
0005568382.tif 000026
【図２６】
0005568382.tif 000027
【図２７】
0005568382.tif 000028
【図２８】
0005568382.tif 000029
【図２９】
0005568382.tif 000030
【図３０】
0005568382.tif 000031
【図３１】
0005568382.tif 000032